(57)【要約】【課題】可逆性感熱記録媒体を高速に搬送しても良好な消去性を得ることができ、作業能率の向上を実現できるようにする。【解決手段】記録消去装置３４において、図示しない給紙手段により給紙された可逆性感熱記録用紙２６は搬送ローラ対１２により記録面ガイド部材２と非記録面ガイド部材３との間に導かれる。記録面ガイド部材２の裏面にはセラミックヒータ４、断熱材６が設けられており、非記録面ガイド部材３の裏面にはセラミックヒータ５、断熱材７が設けられている。非記録面ガイド部材３は固定フレーム１９に支持されているが、記録面ガイド部材２はバネ１１により付勢されて摺動する可動フレーム９により支持されており、可逆性感熱記録用紙２６は両ガイド部材間を当接しながら搬送される。ガイド部材有する熱容量により消去時の急峻な温度変化が抑制され、高速に搬送しながら記録内容を消去することができる。【選択図】      図２
2004249552.tif 000002
【特許請求の範囲】
【請求項１】
可逆性感熱記録媒体の記録内容を熱を加えて消去する記録消去方法において、
可逆性感熱記録媒体の記録面と非記録面に略平行な面を有するガイド部材を対向配置し、これらのガイド部材を熱源によりそれぞれ所定の温度に加熱しながら該ガイド部材間に可逆性感熱記録媒体を通して記録内容を消去することを特徴とする記録消去方法。
【請求項２】
請求項１記載の記録消去方法において、
上記可逆性感熱記録媒体を通すときに、その記録面と非記録面を上記ガイド部材の面にそれぞれ当接させることを特徴とする記録消去方法。
【請求項３】
可逆性感熱記録媒体の記録内容を熱を加えて消去する記録消去装置において、
可逆性感熱記録媒体の記録面に略平行な面を有する記録面ガイド部材と、該記録面ガイド部材に対向して設けられ可逆性感熱記録媒体の非記録面に略平行な面を有する非記録面ガイド部材と、上記記録面ガイド部材を加熱する記録面側熱源と、上記非記録面ガイド部材を加熱する非記録面側熱源を有し、上記記録面ガイド部材と上記非記録面ガイド部材をそれぞれ所定の温度に加熱しながらこれらの間で可逆性感熱記録媒体を搬送して記録内容を消去することを特徴とする記録消去装置。
【請求項４】
請求項３記載の記録消去装置において、
上記記録面ガイド部材と上記非記録面ガイド部材が可逆性感熱記録媒体の記録面、非記録面にそれぞれ当接するように設けられていることを特徴とする記録消去装置。
【請求項５】
請求項４記載の記録消去装置において、
上記記録面側熱源と上記非記録面側熱源が面状ヒータであることを特徴とする記録消去装置。
【請求項６】
請求項５記載の記録消去装置において、
上記面状ヒータがセラミックヒータであることを特徴とする記録消去装置。
【請求項７】
請求項４乃至６のうちの何れか１つに記載の記録消去装置において、
上記記録面ガイド部材と上記非記録面ガイド部材のうちの少なくとも一方が可逆性感熱記録媒体の厚み方向に摺動可能に設けられ、相手方へ向けて所定の圧力で付勢されていることを特徴とする記録消去装置。
【請求項８】
請求項４乃至６のうちの何れか１つに記載の記録消去装置において、
上記非記録面ガイド部材の温度が上記記録面ガイド部材の温度以下であって、且つ、温度差が５０℃以下であることを特徴とする記録消去装置。
【請求項９】
請求項４乃至６のうちの何れか１つに記載の記録消去装置において、
上記記録面ガイド部材と上記非記録面ガイド部材が、単位体積当たりの熱容量が大きい材料で形成され、且つ、その厚さが０．６〜１．２ｍｍであることを特徴とする記録消去装置。
【請求項１０】
請求項４乃至６のうちの何れか１つに記載の記録消去装置において、
上記記録面ガイド部材と上記非記録面ガイド部材が、熱伝導率の高い材料で形成され、且つ、その厚さが１．０〜２．５ｍｍであることを特徴とする記録消去装置。
【請求項１１】
請求項４乃至６のうちの何れか１つに記載の記録消去装置において、
上記記録面ガイド部材と上記非記録面ガイド部材の可逆性感熱記録媒体に当接する面の平面度が、０．３ｍｍ以下であることを特徴とする記録消去装置。
【請求項１２】
請求項４乃至６のうちの何れか１つに記載の記録消去装置において、
上記記録面ガイド部材と上記非記録面ガイド部材の可逆性感熱記録媒体に当接する面の面粗さが、１０μｍ以下であることを特徴とする記録消去装置。
【請求項１３】
請求項４乃至６のうちの何れか１つに記載の記録消去装置において、
上記記録面ガイド部材と上記非記録面ガイド部材の可逆性感熱記録媒体に当接する面が、耐熱性及び低摩擦性を有する材料でコーティングされていることを特徴とする記録消去装置。
【請求項１４】
請求項４乃至６のうちの何れか１つに記載の記録消去装置において、
上記記録面ガイド部材と上記非記録面ガイド部材のうちの少なくとも一方が、可逆性感熱記録媒体を高速で搬送した場合に、消去残留濃度を抑制できる形状を有していることを特徴とする記録消去装置。
【請求項１５】
請求項１４記載の記録消去装置において、
上記記録面ガイド部材と上記非記録面ガイド部材のうち少なくとも一方の可逆性感熱記録媒体の厚み方向における厚さが、可逆性感熱記録媒体の搬送方向と略直交する可逆性感熱記録媒体の幅方向の位置により変化していることを特徴とする記録消去装置。
【請求項１６】
請求項１４記載の記録消去装置において、
上記記録面ガイド部材と上記非記録面ガイド部材のうち少なくとも一方が、可逆性感熱記録媒体の搬送を誘導する誘導部を有し、該誘導部の搬送方向の長さが、可逆性感熱記録媒体の搬送方向と略直交する可逆性感熱記録媒体の幅方向の位置により変化していることを特徴とする記録消去装置。
【請求項１７】
請求項１４記載の記録消去装置において、
上記記録面ガイド部材と上記非記録面ガイド部材のうち少なくとも一方の可逆性感熱記録媒体に当接する面の搬送方向の長さが、可逆性感熱記録媒体の搬送方向と略直交する可逆性感熱記録媒体の幅方向の位置により変化していることを特徴とする記録消去装置。
【請求項１８】
請求項４乃至６のうちの何れか１つに記載の記録消去装置において、
上記記録面ガイド部材と上記非記録面ガイド部材のそれぞれの裏面と上記記録面側熱源、上記非記録面側熱源との間にそれぞれ温度検出手段が設けられ、該温度検出手段は上記記録面ガイド部材と上記非記録面ガイド部材のそれぞれの裏面に接触して設けられていることを特徴とする記録消去装置。
【請求項１９】
請求項１８記載の記録消去装置において、
上記温度検出手段の熱時定数が５秒以下であることを特徴とする記録消去装置。
【請求項２０】
請求項４乃至６のうちの何れか１つに記載の記録消去装置において、
上記記録面ガイド部材と上記非記録面ガイド部材のそれぞれの裏面に上記記録面側熱源、上記非記録面側熱源が上記記録面ガイド部材と上記非記録面ガイド部材に対して非固定状態に設けられ、上記記録面ガイド部材と上記非記録面ガイド部材のうちの少なくとも一方が上記記録面側熱源又は非記録面側熱源を介して相手方へ向け、付勢手段により所定の圧力で付勢されていることを特徴とする記録消去装置。
【請求項２１】
請求項２０記載の記録消去装置において、
上記付勢手段と上記記録面側熱源又は非記録面側熱源との間に断熱材が設けられていることを特徴とする記録消去装置。
【請求項２２】
請求項４乃至６のうちの何れか１つに記載の記録消去装置において、
上記記録面ガイド部材と上記非記録面ガイド部材の可逆性感熱記録媒体に当接する面の搬送方向の長さが１０ｍｍ以上であることを特徴とする記録消去装置。
【請求項２３】
請求項４乃至６のうちの何れか１つに記載の記録消去装置において、
可逆性感熱記録媒体を挟持搬送するための搬送部材が、上記記録面ガイド部材と上記非記録面ガイド部材の搬送方向出口から搬送方向下流側へ離れた位置に設置され、該設置位置は、上記搬送部材のニップ圧により可逆性感熱記録媒体が塑性変形を起こさない距離に設定されていることを特徴とする記録消去装置。
【請求項２４】
請求項２３記載の記録消去装置において、
上記搬送部材が、そのニップ位置が上記上記記録面ガイド部材と上記非記録面ガイド部材の搬送方向出口から搬送方向下流側へ１０ｍｍ以上離れた箇所に設置されていることを特徴とする記録消去装置。
【請求項２５】
請求項４乃至６のうちの何れか１つに記載の記録消去装置において、
可逆性感熱記録媒体を挟持搬送するための搬送部材が設けられ、該搬送部材は、上記記録面ガイド部材と上記非記録面ガイド部材の搬送方向入り口よりも上流側に設けられていることを特徴とする記録消去装置。
【請求項２６】
可逆性感熱記録媒体に記録された内容を熱により消去する記録消去装置と、可逆性感熱記録媒体に記録を行う印字装置を有する記録装置において、
上記記録消去装置が、請求項３乃至２５のうちの何れか１つに記載の記録消去装置であることを特徴とする記録装置。
【発明の詳細な説明】
【０００１】
【発明の属する技術分野】
本発明は、加熱温度の違いにより可逆的に発色と消色の２つの状態を示すことにより繰り返し印字（画像形成）することができる可逆性感熱記録媒体を用いた記録消去方法、記録消去装置及び該記録消去装置を有する記録装置（画像形成装置）に関する。
【０００２】
【従来の技術】
この種の記録装置は、一般にリライタブルプリンタ（ＲＷＰ）と呼ばれ、熱可逆性（Ｔｈｅｒｍｏ−Ｃｈｒｏｍｉｃ）フィルム等の可逆性感熱記録媒体を用いたものが実用化されている。
熱可逆性フィルムは、記録層にロイコ染料と顕色剤を備えており、図１１に示すようなリライタブル特性を有している。消色状態（Ａ）から例えば１８０℃に加熱すると、ロイコ染料分子が溶融して発色し（Ｂ）、この状態で急冷すると発色したまま凝集して発色状態が固定される（Ｃ）。
発色状態で例えば１２０〜１６０℃に加熱すると、凝集状態が崩れて顕色剤が自己凝集力で結晶化し（Ｄ）、ロイコ染料を弾き出して（Ｅ）、消色状態（Ａ）に戻る。消色温度と発色温度はフィルムの構成材料によって異なる。
この熱可逆性フィルムの特性に対応して、記録装置では、加熱して印字を消去する記録消去装置と、加熱して印字を行う印字装置を有している。
【０００３】
記録消去装置としては、ハロゲンランプやセラミックヒータ等を内蔵したヒートローラと加圧ローラを圧接し、ヒートローラにより熱を与えながら挟持搬送して記録を消去する構成が知られている。
印字装置としては、プラテンローラにサーマルヘッドを押圧し、サーマルヘッドの発熱素子に画像情報に基づいて通電し、印字する構成が知られている。
記録消去装置としては、上述した構成の他に、面状ヒータであるセラミックヒータと搬送ローラを対向接触させ、セラミックヒータの面に可逆性感熱記録媒体の記録面（印字面、画像面）を当接させながら搬送する構成も知られている。また、可逆性感熱記録媒体の記録面にハロゲンランプやセラミックヒータ等により非接触状態で熱を加えながら搬送して消去する非接触方式のものもある。
【０００４】
【特許文献１】
特開２０００−１２７４６７号公報
【特許文献２】
特開２０００−３０９１６９号公報
【特許文献３】
特開平７−２７６８１４号公報
【特許文献４】
特開平６−１１５２４３号公報
【０００５】
【発明が解決しようとする課題】
可逆性感熱記録シート（可逆性感熱記録媒体）の記録内容の消去を行うためには、印字面だけではなく裏面もある程度の温度にする必要がある。可逆性感熱記録シートの表裏で熱膨張・収縮率が異なり、材質によっては波打ち現象が発生する場合等があるからである。
熱源を内蔵したヒートローラにより加熱消去する方式では、ヒートローラの加熱（消去温度への立ち上がり）に時間がかかり、使用電力も大きいものになる。
可逆性感熱記録シートの基材がＰＥＴ（ポリエチレンテレフタレート）等のような場合、熱伝導性がよいため、特にこの傾向が強くなる。
ヒートローラと加圧ローラによる加熱・搬送方式の場合、可逆性感熱記録シートと接触するのは僅かな範囲のニップ部分のみであり、消去に必要十分な熱量を可逆性感熱記録シートに供給するためには搬送速度をある程度遅くする必要があった。
【０００６】
セラミックヒータに可逆性感熱記録シートを直接当接させる方式では、セラミックヒータの熱容量が小さいため、温度の上昇率が大きく且つ可逆性感熱記録シートの通過時の温度低下も大きくなり、可逆性感熱記録シートの消去温度を制御することが困難であった。また、セラミックヒータの場合には温度ムラの影響も出やすいという問題があった。
さらに、セラミックヒータの場合には幅も狭いために、表面のガラスにピンホールがあると消去性に大きく影響していた。
上述のように、可逆性感熱記録シートの裏面（非印字面）も加熱する必要があることからセラミックヒータの対向部位に搬送機能を兼ねたローラを設ける場合、そのローラの加熱にも第２のヒータが必要となって上記立ち上がり時間、電力量の問題が同様に生じるとともに、可逆性感熱記録シートと接触するのはニップ部分のみとなるために高速化は困難であった。
【０００７】
そこで、本発明は、高速搬送においても良好な消去性を得ることができ、作業能率の向上を実現できる記録消去方法、記録消去装置及びこれを備えた記録装置の提供を、その主な目的とする。
【０００８】
【課題を解決するための手段】
上記目的を達成するために、請求項１記載の発明では、可逆性感熱記録媒体の記録内容を熱を加えて消去する記録消去方法において、可逆性感熱記録媒体の記録面と非記録面に略平行な面を有するガイド部材を対向配置し、これらのガイド部材を熱源によりそれぞれ所定の温度に加熱しながら該ガイド部材間に可逆性感熱記録媒体を通して記録内容を消去することとした。
【０００９】
請求項２記載の発明では、請求項１記載の記録消去方法において、上記可逆性感熱記録媒体を通すときに、その記録面と非記録面を上記ガイド部材の面にそれぞれ当接させることとした。
【００１０】
請求項３記載の発明では、可逆性感熱記録媒体の記録内容を熱を加えて消去する記録消去装置において、可逆性感熱記録媒体の記録面に略平行な面を有する記録面ガイド部材と、該記録面ガイド部材に対向して設けられ可逆性感熱記録媒体の非記録面に略平行な面を有する非記録面ガイド部材と、上記記録面ガイド部材を加熱する記録面側熱源と、上記非記録面ガイド部材を加熱する非記録面側熱源を有し、上記記録面ガイド部材と上記非記録面ガイド部材をそれぞれ所定の温度に加熱しながらこれらの間で可逆性感熱記録媒体を搬送して記録内容を消去する、という構成を採っている。
【００１１】
請求項４記載の発明では、請求項３記載の記録消去装置において、上記記録面ガイド部材と上記非記録面ガイド部材が可逆性感熱記録媒体の記録面、非記録面にそれぞれ当接するように設けられている、という構成を採っている。
【００１２】
請求項５記載の発明では、請求項４記載の記録消去装置において、上記記録面側熱源と上記非記録面側熱源が面状ヒータである、という構成を採っている。
【００１３】
請求項６記載の発明では、請求項５記載の記録消去装置において、上記面状ヒータがセラミックヒータである、という構成を採っている。
【００１４】
請求項７記載の発明では、請求項４乃至６のうちの何れか１つに記載の記録消去装置において、上記記録面ガイド部材と上記非記録面ガイド部材のうちの少なくとも一方が可逆性感熱記録媒体の厚み方向に摺動可能に設けられ、相手方へ向けて所定の圧力で付勢されている、という構成を採っている。
【００１５】
請求項８記載の発明では、請求項４乃至６のうちの何れか１つに記載の記録消去装置において、上記非記録面ガイド部材の温度が上記記録面ガイド部材の温度以下であって、且つ、温度差が５０℃以下である、という構成を採っている。
【００１６】
請求項９記載の発明では、請求項４乃至６のうちの何れか１つに記載の記録消去装置において、上記記録面ガイド部材と上記非記録面ガイド部材が、単位体積当たりの熱容量が大きい材料で形成され、且つ、その厚さが０．６〜１．２ｍｍである、という構成を採っている。
【００１７】
請求項１０記載の発明では、請求項４乃至６のうちの何れか１つに記載の記録消去装置において、上記記録面ガイド部材と上記非記録面ガイド部材が、熱伝導率の高い材料で形成され、且つ、その厚さが１．０〜２．５ｍｍである、という構成を採っている。
【００１８】
請求項１１記載の発明では、請求項４乃至６のうちの何れか１つに記載の記録消去装置において、上記記録面ガイド部材と上記非記録面ガイド部材の可逆性感熱記録媒体に当接する面の平面度が、０．３ｍｍ以下である、という構成を採っている。
【００１９】
請求項１２記載の発明では、請求項４乃至６のうちの何れか１つに記載の記録消去装置において、上記記録面ガイド部材と上記非記録面ガイド部材の可逆性感熱記録媒体に当接する面の面粗さが、１０μｍ以下である、という構成を採っている。
【００２０】
請求項１３記載の発明では、請求項４乃至６のうちの何れか１つに記載の記録消去装置において、上記記録面ガイド部材と上記非記録面ガイド部材の可逆性感熱記録媒体に当接する面が、耐熱性及び低摩擦性を有する材料でコーティングされている、という構成を採っている。
【００２１】
請求項１４記載の発明では、請求項４乃至６のうちの何れか１つに記載の記録消去装置において、上記記録面ガイド部材と上記非記録面ガイド部材のうちの少なくとも一方が、可逆性感熱記録媒体を高速で搬送した場合に、消去残留濃度を抑制できる形状を有している、という構成を採っている。
【００２２】
請求項１５記載の発明では、請求項１４記載の記録消去装置において、上記記録面ガイド部材と上記非記録面ガイド部材のうちの少なくとも一方の可逆性感熱記録媒体の厚み方向における厚さが、可逆性感熱記録媒体の搬送方向と略直交する可逆性感熱記録媒体の幅方向の位置により変化している、という構成を採っている。
【００２３】
請求項１６記載の発明では、請求項１４記載の記録消去装置において、上記記録面ガイド部材と上記非記録面ガイド部材のうち少なくとも一方が、可逆性感熱記録媒体の搬送を誘導する誘導部を有し、該誘導部の搬送方向の長さが、可逆性感熱記録媒体の搬送方向と略直交する可逆性感熱記録媒体の幅方向の位置により変化している、という構成を採っている。
【００２４】
請求項１７記載の発明では、請求項１４記載の記録消去装置において、上記記録面ガイド部材と上記非記録面ガイド部材のうち少なくとも一方の可逆性感熱記録媒体に当接する面の搬送方向の長さが、可逆性感熱記録媒体の搬送方向と略直交する可逆性感熱記録媒体の幅方向の位置により変化している、という構成を採っている。
【００２５】
請求項１８記載の発明では、請求項４乃至６のうちの何れか１つに記載の記録消去装置において、上記記録面ガイド部材と上記非記録面ガイド部材のそれぞれの裏面と上記記録面側熱源、上記非記録面側熱源との間にそれぞれ温度検出手段が設けられ、該温度検出手段は上記記録面ガイド部材と上記非記録面ガイド部材のそれぞれの裏面に接触して設けられている、という構成を採っている。
【００２６】
請求項１９記載の発明では、請求項１８記載の記録消去装置において、上記温度検出手段の熱時定数が５秒以下である、という構成を採っている。
【００２７】
請求項２０記載の発明では、請求項４乃至６のうちの何れか１つに記載の記録消去装置において、上記記録面ガイド部材と上記非記録面ガイド部材のそれぞれの裏面に上記記録面側熱源、上記非記録面側熱源が上記記録面ガイド部材と上記非記録面ガイド部材に対して非固定状態に設けられ、上記記録面ガイド部材と上記非記録面ガイド部材のうちの少なくとも一方が上記記録面側熱源又は非記録面側熱源を介して相手方へ向け、付勢手段により所定の圧力で付勢されている、という構成を採っている。
【００２８】
請求項２１記載の発明では、請求項２０記載の記録消去装置において、上記付勢手段と上記記録面側熱源又は非記録面側熱源との間に断熱材が設けられている、という構成を採っている。
【００２９】
請求項２２記載の発明では、請求項４乃至６のうちの何れか１つに記載の記録消去装置において、上記記録面ガイド部材と上記非記録面ガイド部材の可逆性感熱記録媒体に当接する面の搬送方向の長さが１０ｍｍ以上である、という構成を採っている。
【００３０】
請求項２３記載の発明では、請求項４乃至６のうちの何れか１つに記載の記録消去装置において、可逆性感熱記録媒体を挟持搬送するための搬送部材が、上記記録面ガイド部材と上記非記録面ガイド部材の搬送方向出口から搬送方向下流側へ離れた位置に設置され、該設置位置は、上記搬送部材のニップ圧により可逆性感熱記録媒体が塑性変形を起こさない距離に設定されている、という構成を採っている。
【００３１】
請求項２４記載の発明では、請求項２３記載の記録消去装置において、上記搬送部材が、そのニップ位置が上記上記記録面ガイド部材と上記非記録面ガイド部材の搬送方向出口から搬送方向下流側へ１０ｍｍ以上離れた箇所に設置されている、という構成を採っている。
【００３２】
請求項２５記載の発明では、請求項４乃至６のうちの何れか１つに記載の記録消去装置において、可逆性感熱記録媒体を挟持搬送するための搬送部材が設けられ、該搬送部材は、上記記録面ガイド部材と上記非記録面ガイド部材の搬送方向入り口よりも上流側に設けられている、という構成を採っている。
【００３３】
請求項２６記載の発明では、可逆性感熱記録媒体に記録された内容を熱により消去する記録消去装置と、可逆性感熱記録媒体に記録を行う印字装置を有する記録装置において、上記記録消去装置が、請求項３乃至２５のうちの何れか１つに記載の記録消去装置である、という構成を採っている。
【００３４】
【発明の実施の形態】
以下、本発明の第１の実施形態を図１乃至図７に基づいて説明する。
まず、図１に基づいて、本実施形態における記録装置としてのリライタブルプリンタ１の構成及びプリント動作の概要を説明する。
リライタブルプリンタ１は、装置本体３５と、該装置本体３５の上面側に左斜め上方に突出するように固定され、可逆性感熱記録媒体としての可逆性感熱記録用紙２６が収容される給紙手段２５と、該給紙手段２５の給紙方向下流側近傍における装置本体３５内部に設けられ、可逆性感熱記録用紙２６の記録内容を熱を加えて消去する記録消去装置３４と、可逆性感熱記録用紙２６に画像情報に基づいて印字（画像形成）を行う印字装置３３と、該記録消去装置３４から排出される可逆性感熱記録用紙２６を印字装置３３へ案内する搬送ガイド板１５と、印字装置３３から排出された可逆性感熱記録用紙２６を冷却する冷却ローラ対１８と、冷却された可逆性感熱記録用紙２６を図示しない排紙トレイへ排出する排紙ローラ対２０等を有している。
【００３５】
給紙手段２５に積載収容された可逆性感熱記録用紙２６は、給紙ローラ２２、２３、２４により１枚ずつ分離されて矢印Ｓ方向に給紙される。
記録消去装置３４は、図２に示すように、ケーシング１０と、該ケーシング１０の上面に設けられ、可逆性感熱記録用紙２６の導入口３０ａを有するカバー３０と、ケーシング１０内における導入口３０ａの略真下に設けられた搬送ローラ対１２と、可逆性感熱記録用紙２６の記録面に略平行な面を有する記録面ガイド部材２と、該記録面ガイド部材２に対向して設けられ可逆性感熱記録用紙２６の非記録面に略平行な面を有する非記録面ガイド部材３と、記録面ガイド部材２を加熱する記録面側熱源としてのセラミックヒータ４と、非記録面ガイド部材３を加熱する非記録面側熱源としてのセラミックヒータ５と、セラミックヒータ４の裏面側（記録面に略平行な面と反対側）に設けられた断熱材６と、セラミックヒータ５の裏面側に設けられた断熱材７を有している。
【００３６】
また、ケーシング１０内部に可逆性感熱記録用紙２６の厚み方向に突出するように形成された支持ブラケット８と、該支持ブラケット８上に摺動可能に設けられ、記録面ガイド部材２を支持する可動フレーム９と、該可動フレーム９を可逆性感熱記録用紙２６の厚み方向に付勢するバネ１１と、支持ブラケット８と略平行に突出し、可動フレーム９の摺動をガイドするガイドブラケット１３と、セラミックヒータ４に埋設状態に設けられ、記録面ガイド部材２の裏面に当接する温度検出手段としてのサーミスタ１４と、非記録面ガイド部材３側においてケーシング１０内部に可逆性感熱記録用紙２６の厚み方向に突出するように形成された支持ブラケット１６と、該支持ブラケット１６に固定ネジ１７で固定され、非記録面ガイド部材３を支持する固定フレーム１９と、セラミックヒータ５に埋設状態に設けられ、非記録面ガイド部材３の裏面に当接する温度検出手段としてのサーミスタ２１等を有している。
可動フレーム９及びバネ１１等により、記録面ガイド部材２を非記録面ガイド部材３へ向けて付勢する付勢手段が構成されている。
【００３７】
図１に示すように、記録消去装置３４で記録内容を消去された可逆性感熱記録用紙２６は、円弧状の搬送経路を有する搬送ガイド板１５内を搬送ローラ対２７等により搬送され、印字装置３３へ達する。
印字装置３３は、プラテンローラ２８と、該プラテンローラ２８に図示しない付勢手段により圧接されたサーマルヘッド２９を有している。記録消去装置３４により記録内容を消去され、又は未記録の可逆性感熱記録用紙２６はプラテンローラ２８で搬送されながらサーマルヘッド２９により印字される。
画像情報に基づいて駆動されるサーマルヘッド２９の加熱温度は適正な発色温度に設定される。
図示しない制御手段のＲＯＭには、予め実験等（コンピュータシミュレーションを含む）により求められた可逆性感熱記録用紙２６の材質の種類と適正な発色温度との関係データテーブルが記憶されており、上記制御手段は入力された又は自動検知された可逆性感熱記録用紙２６の種類に対応する発色温度を選択し、サーマルヘッド２９への電力供給を制御する。
冷却ローラ対１８は、印字装置３３の下流側で印字装置３３によって付与された可逆性感熱記録用紙２６の熱を奪う目的と搬送を兼ねて設けられたローラであり、熱伝導率の高い材料で形成することが望ましい。
【００３８】
図２において、セラミックヒータ４と断熱材６は可動フレーム９に一体に固定されているが、セラミックヒータ４と記録面ガイド部材２とは非固定状態にある。同様に、セラミックヒータ５と断熱材７は固定フレーム１９に一体に固定されているが、セラミックヒータ５と非記録面ガイド部材３とは非固定状態にある。
可動フレーム９は、図３に示すように、ガイドブラケット１３によりガイドされる部分を除く中央部が断面略コ字状に形成され、後面９ｂを２つのバネ１１により付勢されている。断熱材６が固定される前面９ａの可逆性感熱記録用紙２６の幅方向（搬送方向と直交する方向）における両端部には、記録面ガイド部材２を係合するための溝９ａ―１が形成されている。
【００３９】
記録面ガイド部材２は、図４に示すように、後述する可逆性感熱記録用紙２６の記録面２６ａに略平行な加熱面２ａと、該加熱面２ａの上端から左斜め上方に延び、可逆性感熱記録用紙２６を誘導する誘導部２ｂと、加熱面２ａの幅方向両端部にそれぞれ形成されたＬ字状の係合部２ｃと、これらの係合部２ｃの内面に形成され、上記可動フレーム９の溝９ａ―１に係合する凸部２ｄを有している。
図５に示すように、非記録面ガイド部材３も記録面ガイド部材２と同様に形成され、且つ対称性を有するように設けられている。すなわち、非記録面ガイド部材３は、可逆性感熱記録用紙２６の非記録面２６ｂに略平行な加熱面３ａと、該加熱面３ａの上端から右斜め上方に延び、可逆性感熱記録用紙２６を誘導する誘導部３ｂと、加熱面３ａの幅方向両端部にそれぞれ形成されたＬ字状の係合部３ｃと、これらの係合部３ｃの内面に形成され、上記固定フレーム１９の図示しない溝に係合する凸部３ｄを有している。
【００４０】
記録面ガイド部材２と非記録面ガイド部材３の対向配置によって、各誘導部２ｂ、３ｂによる逆八の字形状の搬送案内部が形成されている。この搬送案内部により可逆性感熱記録用紙２６の先端部が少々ばたついても確実に記録面ガイド部材２と非記録面ガイド部材３の間に通すことができる。
記録面ガイド部材２が可動フレーム９による付勢力Ｆで非記録面ガイド部材３へ向けて押圧され、これにより、可逆性感熱記録用紙２６の記録面２６ａに記録面ガイド部材２の加熱面２ａが当接し、可逆性感熱記録用紙２６の非記録面２６ｂに非記録面ガイド部材３の加熱面３ａが当接する。
【００４１】
記録面ガイド部材２及び非記録面ガイド部材３の材料としては、金属、耐熱性樹脂、セラミック等を採用でき、特に金属が望ましい。金属においては熱伝導率の高いアルミニウム、銅及びその合金等が挙げられるが、特にアルミニウムが好ましい。アルミニウムで形成する場合、記録面ガイド部材２及び非記録面ガイド部材３の厚さｔは、１．０ｍｍ〜２．５ｍｍであることが好ましい。
好適な材料としては他に、単位体積当たりの熱容量の高いステンレスなど、鉄を基材とする金属も上げられる。この場合、記録面ガイド部材２及び非記録面ガイド部材３の厚さｔは、０．６ｍｍ〜１．２ｍｍであることが好ましい。
また、記録面ガイド部材２の加熱面２ａと非記録面ガイド部材３の加熱面３ａの平面度は、０．３ｍｍ以下であることが好ましい。
【００４２】
また、記録面ガイド部材２と非記録面ガイド部材３の可逆性感熱記録用紙２６と当接する部分の長さ、すなわち、加熱面２ａ、加熱面３ａの可逆性感熱記録用紙２６の搬送方向における長さｈは、１０ｍｍ以上にすることが好ましい。
記録面ガイド部材２とセラミックヒータ４との間に配置されたサーミスタ１４と、非記録面ガイド部材３とセラミックヒータ５の間に配置されたサーミスタ２１は、その熱時定数が５秒以下のものが好ましい。
【００４３】
記録面ガイド部材２はセラミックヒータ４により一定温度（所定の消去温度）に加熱され、非記録面ガイド部材３はセラミックヒータ５により一定温度に加熱される。可逆性感熱記録用紙２６はその記録面２６ａが記録面ガイド部材２の加熱面２ａに当接し、非記録面２６ｂが非記録面ガイド部材３の加熱面３ａに当接しながら搬送されることにより、波打ち現象を呈することなく記録内容を消去される。
上述のように、本実施形態においては、セラミックヒータ４により発生した熱は記録面ガイド部材２を介して間接的に可逆性感熱記録用紙２６の記録面へ伝えられ、セラミックヒータ５により発生した熱は非記録面ガイド部材３を介して間接的に可逆性感熱記録用紙２６の非記録面へ伝えられる。
【００４４】
記録面ガイド部材２、非記録面ガイド部材３を介することなく、セラミックヒータ４、５により直接可逆性感熱記録用紙２６を加熱した場合、すなわち、従来における加熱方式の場合、図６（ａ）に示すように、可逆性感熱記録用紙２６がセラミックヒータ４、５間を通過する際に急激な温度降下が起き、可逆性感熱記録用紙２６の消去可能温度帯を下回ってしまい、消去不能となる場合がある。
これに対し、本実施形態における上記構成の場合には、セラミックヒータ４、５で発生した熱は記録面ガイド部材２、非記録面ガイド部材３に蓄えられた状態で可逆性感熱記録用紙２６へ移動するので、急激な温度降下は抑制され、可逆性感熱記録用紙２６の消去可能温度帯内に収められるため、可逆性感熱記録用紙２６を高速に搬送しても記録内容を確実に消去することができる。
【００４５】
すなわち、可逆性感熱記録用紙２６は熱源であるセラミックヒータ４、５の熱を直接に奪わないので、急激な温度降下は起きない。
本実施形態では、上記制御手段によるセラミックヒータ４、５の制御により、非記録面ガイド部材３の加熱面３ａの温度が記録面ガイド部材２の加熱面２ａの温度以下になるように設定されており、且つ、その温度差が５０℃以下になるように設定されている。
これにより、可逆性感熱記録用紙２６の厚み方向における温度勾配は小さくなり、可逆性感熱記録用紙２６を高速に搬送しながら記録内容を消去することができる。
本実施形態における効果を図７に示す。従来技術であるＡにおいては可逆性感熱記録用紙２６の搬送速度が大きくなると、消去残留濃度が大きくなり、可逆性感熱記録用紙２６の消去が不可能となる。
本実施形態（Ｂ、Ｃ）では、可逆性感熱記録用紙２６との当接部分を記録面ガイド部材２及び非記録面ガイド部材３の存在により長く且つ任意の長さに設定できるので、高速に搬送しながら消去残量濃度を抑制することができる。
【００４６】
次に、図８に基づいて第２の実施形態を説明する。なお、上記実施形態と同一部分は同一符号で示し、特に必要がない限り既にした構成上及び機能上の説明は省略して要部のみ説明する（以下の他の実施形態において同じ）。
セラミックヒータ４とセラミックヒータ５の発熱面内の温度分布の勾配が大きい場合には、可逆性感熱記録用紙２６の記録内容を消去したときに、局所的に残留濃度が大きくなることがある。本実施形態ではこの問題を解決することを目的としている。
上記問題を解決するために、本実施形態では、記録面ガイド部材２と非記録面ガイド部材３のうちの少なくとも一方が、可逆性感熱記録用紙２６を高速で搬送した場合に、消去残留濃度を抑制できる形状を有していることを特徴としている。
具体的には、記録面ガイド部材２及び非記録面ガイド部材３の、あるいは記録面ガイド部材２又は非記録面ガイド部材３の可逆性感熱記録用紙２６の厚み方向における厚さが、可逆性感熱記録用紙２６の搬送方向と略直交する可逆性感熱記録用紙２６の幅方向（矢印Ｗ方向）の位置により変化していることを特徴としている。
【００４７】
図８は、図４において記録面ガイド部材２を矢印Ｅ方向から見た図（底面図）を示している。記録面ガイド部材２の加熱面２ａの厚みｍが、中央部で薄くなり、両端部で徐々に厚くなるように設定されている。本実施形態では非記録面ガイド部材３においても記録面ガイド部材２と同様に加熱面３ａにおける厚み変化の設定がなされている。
加熱面２ａの厚みｍの変化により、可逆性感熱記録用紙２６に与える熱量が加熱面２ａの位置により異なり、これによりセラミックヒータ４の発熱面内の温度分布の勾配の影響を補正できる。すなわち、温度分布の勾配を小さくすることができ、局所的に残留濃度が大きくなることを防止できる。
【００４８】
図９に示すように、記録面ガイド部材２における誘導部２ｂの搬送方向の長さｎを、可逆性感熱記録用紙２６の搬送方向と略直交する可逆性感熱記録用紙２６の幅方向（矢印Ｗ方向）の位置により変化させるようにしても、第２の実施形態と同様の機能を得ることができる（第３の実施形態）。
本実施形態では、誘導部２ｂの長さｎが中央部で最大となり、両端部へ向かって徐々に小さくなるように設定されており、非記録面ガイド部材３の誘導部３ｂにおいても同様の形状に設定されている。
誘導部２ｂにもセラミックヒータ４による加熱は及んでおり、直接可逆性感熱記録用紙２６に接触はしないが、その形状を変化させることにより可逆性感熱記録用紙２６に対する熱量を操作でき、セラミックヒータ４の発熱面内の温度分布の勾配の影響を補正できる。すなわち、温度分布の勾配を小さくすることができ、局所的に残留濃度が大きくなることを防止できる。
記録面ガイド部材２と非記録面ガイド部材３のうち何れか一方の誘導部の搬送方向の長さを変化させるようにしてもよい。
【００４９】
図１０に示すように、記録面ガイド部材２の可逆性感熱記録用紙２６に当接する面（加熱面２ａ）の搬送方向の長さｒを、可逆性感熱記録用紙２６の搬送方向と略直交する可逆性感熱記録用紙２６の幅方向（矢印Ｗ方向）の位置により変化させるようにしても、第２の実施形態と同様の機能を得ることができる（第４の実施形態）。
本実施形態では、加熱面２ａの長さｒが中央部で最小となり、両端部へ向かって徐々に大きくなるように設定されており、非記録面ガイド部材３の加熱面３ａにおいても同様の形状に設定されている。
加熱面２ａの長さｒの変化により、可逆性感熱記録用紙２６に与える熱量が加熱面２ａの位置によりことなり、これによりセラミックヒータ４の発熱面内の温度分布の勾配の影響を補正できる。すなわち、温度分布の勾配を小さくすることができ、局所的に残留濃度が大きくなることを防止できる。
記録面ガイド部材２と非記録面ガイド部材３のうち何れか一方の可逆性感熱記録用紙２６に当接する面（加熱面）の搬送方向の長さを変化させるようにしてもよい。
【００５０】
上記各実施形態では、可逆性感熱記録用紙２６の加熱面２ａが可逆性感熱記録用紙２６の記録面に当接し、且つ、非記録面ガイド部材３の加熱面３ａが非記録面に当接する方式であるので、可逆性感熱記録用紙２６が記録面ガイド部材２と非記録面ガイド部材３の間を通過する際に、可逆性感熱記録用紙２６の表面に摩擦による傷が発生する懸念がある。
この場合、記録面ガイド部材２と非記録面ガイド部材３の可逆性感熱記録用紙２６に当接する面（加熱面２ａ、加熱面３ａ）の面粗さを、１０μｍ以下とすることにより傷の発生を防止することができる（第５の実施形態）。
記録面ガイド部材２と非記録面ガイド部材３の可逆性感熱記録用紙２６に当接する面（加熱面２ａ、加熱面３ａ）を、耐熱性及び低摩擦性を有する材料でコーティングしても同様の傷発生防止機能を得ることができる（第６の実施形態）。
耐熱性及び低摩擦性を有する材料としては、例えばフッ素樹脂やポリイミド樹脂を採用することができる。
【００５１】
可逆性感熱記録用紙２６の材料に、樹脂など軟化点温度が消去温度より低い材料が使われている場合、記録面ガイド部材２と非記録面ガイド部材３の間を通過後、可逆性感熱記録用紙２６がその軟化点温度以下に冷却される前に、搬送ローラなどにより加圧を行うと、可逆性感熱記録用紙２６が塑性変形を起こしてしまい、問題となる。
このような場合、可逆性感熱記録用紙２６を挟持搬送するための搬送部材が、記録面ガイド部材２と非記録面ガイド部材３の搬送方向出口から搬送方向下流側へ離れた位置に設置されるケースにおいては、該設置位置は、上記搬送部材のニップ圧により可逆性感熱記録用紙２６が塑性変形を起こさない距離に設定するようにする（第７の実施形態）。
【００５２】
具体的には、図１で示した構成において、搬送ローラ対２７は、そのニップ位置が記録面ガイド部材２と非記録面ガイド部材３の搬送方向出口から搬送方向下流側へ１０ｍｍ以上離れた箇所に設置するようにする。
可逆性感熱記録用紙２６を挟持搬送するための搬送部材を、記録面ガイド部材２と非記録面ガイド部材３の搬送方向入り口よりも上流側に設けても上記と同様の塑性変形防止機能を得ることができる（第８の実施形態）。
具体的には、本実施形態の場合、図１に示す搬送ローラ対１２が可逆性感熱記録用紙２６を挟持搬送するための搬送部材となる。
【００５３】
上記各実施形態では、記録面ガイド部材２と非記録面ガイド部材３の間をそれぞれの面に当接させながら可逆性感熱記録用紙２６を搬送する構成としたが、各面（加熱面２ａ、加熱面３ａ）との間に僅かな隙間を有する状態にして非接触状態で搬送するようにしても、上記各実施形態と同様の消去機能を得ることができる。この場合、可動フレーム９は固定方式となる。
【００５４】
【発明の効果】
請求項１記載の発明によれば、可逆性感熱記録媒体の記録内容を熱を加えて消去する記録消去方法において、可逆性感熱記録媒体の記録面と非記録面に略平行な面を有するガイド部材を対向配置し、これらのガイド部材を熱源によりそれぞれ所定の温度に加熱しながら該ガイド部材間に可逆性感熱記録媒体を通して記録内容を消去することとしたので、ガイド部材の有する熱容量により消去時の急峻な温度変化を抑制することができ、可逆性感熱記録媒体を高速に搬送して記録内容を消去することができる。これによりリライタブルプリンタ等における記録消去の作業能率を向上させることができる。
【００５５】
請求項３記載の発明によれば、請求項１記載の記録消去方法において、上記可逆性感熱記録媒体を通すときに、その記録面と非記録面を上記ガイド部材の面にそれぞれ当接させることとしたので、可逆性感熱記録媒体を高速に搬送しながら記録内容を高精度に消去することができる。
【００５６】
請求項３又は２６記載の発明によれば、可逆性感熱記録媒体の記録内容を熱を加えて消去する記録消去装置において、可逆性感熱記録媒体の記録面に略平行な面を有する記録面ガイド部材と、該記録面ガイド部材に対向して設けられ可逆性感熱記録媒体の非記録面に略平行な面を有する非記録面ガイド部材と、上記記録面ガイド部材を加熱する記録面側熱源と、上記非記録面ガイド部材を加熱する非記録面側熱源を有し、上記記録面ガイド部材と上記非記録面ガイド部材をそれぞれ所定の温度に加熱しながらこれらの間で可逆性感熱記録媒体を搬送して記録内容を消去する構成としたので、記録面ガイド部材と非記録面ガイド部材の有する熱容量により消去時の急峻な温度変化を抑制することができ、可逆性感熱記録媒体を高速に搬送して記録内容を消去することができる。これによりリライタブルプリンタ等における記録消去の作業能率を向上させることができる。
【００５７】
請求項４又は２６記載の発明によれば、請求項３記載の記録消去装置において、上記記録面ガイド部材と上記非記録面ガイド部材が可逆性感熱記録媒体の記録面、非記録面にそれぞれ当接するように設けられている構成としたので、可逆性感熱記録媒体を高速に搬送しながら記録内容を高精度に消去することができる。
【００５８】
請求項５又は２６記載の発明によれば、請求項４記載の記録消去装置において、上記記録面側熱源と上記非記録面側熱源が面状ヒータである構成としたので、消去温度への立ち上がり時間を短くでき、省電力化を実現できる。
【００５９】
請求項６又は２６記載の発明によれば、請求項５記載の記録消去装置において、上記面状ヒータがセラミックヒータである構成としたので、消去温度への立ち上がり時間を短くでき、省電力化を実現できる。
【００６０】
請求項７又は２６記載の発明によれば、請求項４乃至６のうちの何れか１つに記載の記録消去装置において、上記記録面ガイド部材と上記非記録面ガイド部材のうちの少なくとも一方が可逆性感熱記録媒体の厚み方向に摺動可能に設けられ、相手方へ向けて所定の圧力で付勢されている構成としたので、可逆性感熱記録媒体に対する記録面ガイド部材と非記録面ガイド部材の空隙を少なくすることができ、記録面ガイド部材と非記録面ガイド部材の熱を可逆性感熱記録媒体の全面に速やかに伝えることができる。これにより、可逆性感熱記録媒体を高速に搬送しながら記録内容を消去することができる。
【００６１】
請求項８又は２６記載の発明によれば、請求項４乃至６のうちの何れか１つに記載の記録消去装置において、上記非記録面ガイド部材の温度が上記記録面ガイド部材の温度以下であって、且つ、温度差が５０℃以下である構成としたので、記録面ガイド部材と非記録面ガイド部材に挟まれた部分における可逆性感熱記録媒体の厚さ方向の温度勾配が小さくなるため、可逆性感熱記録媒体を高速に搬送しながら記録内容を消去することができる。
【００６２】
請求項９又は２６記載の発明によれば、請求項４乃至６のうちの何れか１つに記載の記録消去装置において、上記記録面ガイド部材と上記非記録面ガイド部材が、単位体積当たりの熱容量が大きい材料で形成され、且つ、その厚さが０．６〜１．２ｍｍである構成としたので、可逆性感熱記録媒体が記録面ガイド部材と非記録面ガイド部材間を通過する際に発生する急峻な温度降下を抑制することができ、可逆性感熱記録媒体を高速に搬送しながら記録内容を消去することができる。また、記録面ガイド部材及び非記録面ガイド部材の適正な厚みにより消去温度への立ち上がり時間を短くできる。
【００６３】
請求項１０又は２６記載の発明によれば、請求項４乃至６のうちの何れか１つに記載の記録消去装置において、上記記録面ガイド部材と上記非記録面ガイド部材が、熱伝導率の高い材料で形成され、且つ、その厚さが１．０〜２．５ｍｍである構成としたので、可逆性感熱記録媒体が記録面ガイド部材と非記録面ガイド部材間を通過する際に発生する急峻な温度降下を抑制することができ、可逆性感熱記録媒体を高速に搬送しながら記録内容を消去することができる。また、記録面ガイド部材及び非記録面ガイド部材の適正な厚みにより消去温度への立ち上がり時間を短くできる。
【００６４】
請求項１１又は２６記載の発明によれば、請求項４乃至６のうちの何れか１つに記載の記録消去装置において、上記記録面ガイド部材と上記非記録面ガイド部材の可逆性感熱記録媒体に当接する面の平面度が、０．３ｍｍ以下である構成としたので、可逆性感熱記録媒体に対する記録面ガイド部材と非記録面ガイド部材の空隙を少なくすることができ、記録面ガイド部材と非記録面ガイド部材の熱を可逆性感熱記録媒体の全面に速やかに伝えることができる。これにより、可逆性感熱記録媒体を高速に搬送しながら記録内容を消去することができる。
【００６５】
請求項１２又は２６記載の発明によれば、請求項４乃至６のうちの何れか１つに記載の記録消去装置において、上記記録面ガイド部材と上記非記録面ガイド部材の可逆性感熱記録媒体に当接する面の面粗さが、１０μｍ以下である構成としたので、記録面ガイド部材及び非記録面ガイド部材に対する可逆性感熱記録媒体の摩擦を低減でき、可逆性感熱記録媒体の表面を損傷することなく記録内容を消去することができる。
【００６６】
請求項１３又は２６記載の発明によれば、請求項４乃至６のうちの何れか１つに記載の記録消去装置において、上記記録面ガイド部材と上記非記録面ガイド部材の可逆性感熱記録媒体に当接する面が、耐熱性及び低摩擦性を有する材料でコーティングされている構成としたので、可逆性感熱記録媒体の表面を損傷することなく記録内容を消去することができる。
【００６７】
請求項１４又は２６記載の発明によれば、請求項４乃至６のうちの何れか１つに記載の記録消去装置において、上記記録面ガイド部材と上記非記録面ガイド部材のうちの少なくとも一方が、可逆性感熱記録媒体を高速で搬送した場合に、消去残留濃度を抑制できる形状を有している構成としたので、熱源の温度分布を補正することができ、可逆性感熱記録媒体の全面を均一に高精度に消去することができる。
【００６８】
請求項１５又は２６記載の発明によれば、請求項１４記載の記録消去装置において、上記記録面ガイド部材と上記非記録面ガイド部材のうち少なくとも一方の可逆性感熱記録媒体の厚み方向における厚さが、可逆性感熱記録媒体の搬送方向と略直交する可逆性感熱記録媒体の幅方向の位置により変化している構成としたので、熱源の温度分布を補正することができ、可逆性感熱記録媒体の全面を均一に高精度に消去することができる。
【００６９】
請求項１６又は２６記載の発明によれば、請求項１４記載の記録消去装置において、上記記録面ガイド部材と上記非記録面ガイド部材のうち少なくとも一方が、可逆性感熱記録媒体の搬送を誘導する誘導部を有し、該誘導部の搬送方向の長さが、可逆性感熱記録媒体の搬送方向と略直交する可逆性感熱記録媒体の幅方向の位置により変化している構成としたので、熱源の温度分布を補正することができ、可逆性感熱記録媒体の全面を均一に高精度に消去することができる。
【００７０】
請求項１７又は２６記載の発明によれば、請求項１４記載の記録消去装置において、上記記録面ガイド部材と上記非記録面ガイド部材のうち少なくとも一方の可逆性感熱記録媒体に当接する面の搬送方向の長さが、可逆性感熱記録媒体の搬送方向と略直交する可逆性感熱記録媒体の幅方向の位置により変化している構成としたので、熱源の温度分布を補正することができ、可逆性感熱記録媒体の全面を均一に高精度に消去することができる。
【００７１】
請求項１８又は２６記載の発明によれば、請求項４乃至６のうちの何れか１つに記載の記録消去装置において、上記記録面ガイド部材と上記非記録面ガイド部材のそれぞれの裏面と上記記録面側熱源、上記非記録面側熱源との間にそれぞれ温度検出手段が設けられ、該温度検出手段は上記記録面ガイド部材と上記非記録面ガイド部材のそれぞれの裏面に接触して設けられている構成としたので、可逆性感熱記録媒体の温度を正確に測定でき、フィードバック制御により適正な消去温度に維持して高速に搬送しながら記録内容を消去できる。
【００７２】
請求項１９又は２６記載の発明によれば、請求項１８記載の記録消去装置において、上記温度検出手段の熱時定数が５秒以下である構成としたので、可逆性感熱記録媒体の温度を正確に測定でき、フィードバック制御により適正な消去温度に維持して高速に搬送しながら記録内容を消去できる。
【００７３】
請求項２０又は２６記載の発明によれば、請求項４乃至６のうちの何れか１つに記載の記録消去装置において、上記記録面ガイド部材と上記非記録面ガイド部材のそれぞれの裏面に上記記録面側熱源、上記非記録面側熱源が上記記録面ガイド部材と上記非記録面ガイド部材に対して非固定状態に設けられ、上記記録面ガイド部材と上記非記録面ガイド部材のうちの少なくとも一方が上記記録面側熱源又は非記録面側熱源を介して相手方へ向け、付勢手段により所定の圧力で付勢されている構成としたので、可逆性感熱記録媒体に対する記録面ガイド部材と非記録面ガイド部材の空隙を少なくすることができ、記録面ガイド部材と非記録面ガイド部材の熱を可逆性感熱記録媒体の全面に速やかに伝えることができる。これにより、可逆性感熱記録媒体を高速に搬送しながら記録内容を消去することができる。
【００７４】
請求項２１又は２６記載の発明によれば、請求項２０記載の記録消去装置において、上記付勢手段と上記記録面側熱源又は非記録面側熱源との間に断熱材が設けられている構成としたので、熱源から付勢手段への熱移動を抑制でき、熱源による記録面ガイド部材、非記録面ガイド部材の加熱効率の低下を防止できる。
【００７５】
請求項２２又は２６記載の発明によれば、請求項４乃至６のうちの何れか１つに記載の記録消去装置において、上記記録面ガイド部材と上記非記録面ガイド部材の可逆性感熱記録媒体に当接する面の搬送方向の長さが１０ｍｍ以上である構成としたので、可逆性感熱記録媒体の単位面積当たりの記録面ガイド部材、非記録面ガイド部材との接触時間を長くすることができ、可逆性感熱記録媒体を高速に搬送しながら記録内容を消去することができる。
【００７６】
請求項２３又は２６記載の発明によれば、請求項４乃至６のうちの何れか１つに記載の記録消去装置において、可逆性感熱記録媒体を挟持搬送するための搬送部材が、上記記録面ガイド部材と上記非記録面ガイド部材の搬送方向出口から搬送方向下流側へ離れた位置に設置され、該設置位置は、上記搬送部材のニップ圧により可逆性感熱記録媒体が塑性変形を起こさない距離に設定されている構成としたので、可逆性感熱記録媒体が十分に冷却されてから搬送部材による圧力が加えられるため、可逆性感熱記録媒体の塑性変形の発生を防止できる。
【００７７】
請求項２４又は２６記載の発明によれば、請求項２３記載の記録消去装置において、上記搬送部材が、そのニップ位置が上記上記記録面ガイド部材と上記非記録面ガイド部材の搬送方向出口から搬送方向下流側へ１０ｍｍ以上離れた箇所に設置されている構成としたので、可逆性感熱記録媒体が十分に冷却されてから搬送部材による圧力が加えられるため、可逆性感熱記録媒体の塑性変形の発生を防止できる。
【００７８】
請求項２５又は２６記載の発明によれば、請求項４乃至６のうちの何れか１つに記載の記録消去装置において、可逆性感熱記録媒体を挟持搬送するための搬送部材が設けられ、該搬送部材は、上記記録面ガイド部材と上記非記録面ガイド部材の搬送方向入り口よりも上流側に設けられている構成としたので、可逆性感熱記録媒体の塑性変形の発生を防止できる。
【図面の簡単な説明】
【図１】本発明の第１の実施形態における記録装置としてのリライタブルプリンタの概要正面図である。
【図２】記録消去装置の拡大概要正面図である。
【図３】記録消去装置における記録面ガイド部材の付勢手段の概要斜視図である。
【図４】記録面ガイド部材の概要斜視図である。
【図５】可逆性感熱記録媒体に対する記録面ガイド部材と非記録面ガイド部材の位置関係を示す図である。
【図６】可逆性感熱記録媒体の通紙期間（時間）とヒータ温度との関係を示す図で（ａ）は従来における図、（ｂ）は本実施形態における図である。
【図７】可逆性感熱記録媒体の搬送速度と消去残留濃度との関係を示すグラフで、従来品と本実施形態における比較を示すグラフである。
【図８】第２の実施形態における記録面ガイド部材の概要底面図である。
【図９】第３の実施形態における記録面ガイド部材の概要斜視図である。
【図１０】第４の実施形態における記録面ガイド部材の概要斜視図である。
【図１１】可逆性感熱記録媒体の消色・発色メカニズムを示す図である。
【符号の説明】
２  記録面ガイド部材
２ａ  可逆性感熱記録媒体の記録面に略平行な面としての加熱面
２ｂ、３ｂ  誘導部
３  非記録面ガイド部材
３ａ  可逆性感熱記録媒体の非記録面に略平行な面としての加熱面
４  記録面側熱源としてのセラミックヒータ
５  非記録面側熱源としてのセラミックヒータ
６、７  断熱材
２６  可逆性感熱記録媒体
２６ａ  記録面
２６ｂ  非記録面
３３  印字装置
３４  記録消去装置
【図１】
2004249552.tif 000003
【図２】
2004249552.tif 000004
【図３】
2004249552.tif 000005
【図４】
2004249552.tif 000006
【図５】
2004249552.tif 000007
【図６】
2004249552.tif 000008
【図７】
2004249552.tif 000009
【図８】
2004249552.tif 000010
【図９】
2004249552.tif 000011
【図１０】
2004249552.tif 000012
【図１１】
2004249552.tif 000013